(57)【要約】  テレビまたは家庭用娯楽システムのリモコンデバイス（ＲＣＤ）が、携帯電話と通信可能となっており、携帯電話がデジタルセルラーネットワーク（ＤＣＮ）からの第１無線プロトコルの信号を受信すると、処理のために、例えばＲＣＤを使って音声呼に応答するか、またはメッセージデータを表示するために、第２無線プロトコルで信号がＲＣＤに無線で転送される。更にＲＣＤは、１つ以上の周辺デバイス、例えばテレビおよび／または家庭用娯楽システムのその他のコンポーネントと無線で通信できる。ＲＣＤは、携帯電話から受信した信号または信号の成分を出力用の周辺デバイスのうちの１つに更に転送できる。従って、信号を受信したときに携帯電話が手元にない場合、信号をＲＣＤにパスしてユーザーにより適当と考えられる態様で取り扱うことができる。
2007504732.tif 000002
【特許請求の範囲】
【請求項１】
１つ以上の周辺デバイスを制御するための第１無線インターフェースと、
携帯電話と通信するための第２無線インターフェースと、
前記携帯電話から受信したオーディオ信号を出力するためのスピーカーと、
前記携帯電話へ送信すべきオーディオ信号を受信するためのマイクと、
リモコンデバイス（ＲＣＤ）と前記携帯電話との間で伝送される無線信号を処理するためのプロセッサと、
を備えたリモコンデバイス（ＲＣＤ）であって、
前記リモコンデバイス（ＲＣＤ）が、デジタルセルラーネットワーク（ＤＣＮ）からの無線信号を前記携帯電話が受信したことに応答し、前記携帯電話からの信号を受信し、
前記携帯電話からの受信信号を処理するリモコンデバイス（ＲＣＤ）。
【請求項２】
前記携帯電話から前記リモコンデバイス（ＲＣＤ）が受信した信号が、電話の呼を設定するために使用されるオーディオ信号である、請求項１記載のリモコンデバイス（ＲＣＤ）。
【請求項３】
前記携帯電話から受信した信号を処理する事が、前記リモコンデバイス（ＲＣＤ）を使って前記携帯電話が受信した電話呼に接続する事を含む、請求項２記載のリモコンデバイス（ＲＣＤ）。
【請求項４】
前記リモコンデバイス（ＲＣＤ）が、前記携帯電話から受信したオーディオ信号を１つ以上の周辺デバイスのうちの１つに送信し、可聴的に出力させる、請求項３記載のリモコンデバイス（ＲＣＤ）。
【請求項５】
前記リモコンデバイス（ＲＣＤ）によって前記携帯電話から受信された信号が、テキストデータ信号、オーディオデータ信号、ビデオデータ信号およびそれらの任意の組み合わせから成る群から選択されたデータ信号である、請求項１記載のリモコンデバイス（ＲＣＤ）。
【請求項６】
前記携帯電話から受信した信号を処理する作用が、前記携帯電話から受信したデータ信号を前記１つ以上の周辺デバイスのうちの１つに送信し、出力させる事を含む、請求項５記載のリモコンデバイス（ＲＣＤ）。
【請求項７】
前記リモコンデバイス（ＲＣＤ）によって前記携帯電話から受信された信号が、ＳＭＳメッセージ、ＭＭＳメッセージおよびｅメールメッセージから成る群から選択されたデータ信号である、請求項１記載のリモコンデバイス（ＲＣＤ）。
【請求項８】
前記携帯電話から受信した信号を処理する事が、前記携帯電話から受信したデータ信号を前記１つ以上の周辺デバイスのうちの１つに送信し、出力させることを含む、請求項７記載のリモコンデバイス（ＲＣＤ）。
【請求項９】
携帯電話および１つ以上の周辺デバイスと通信可能なリモコンデバイス（ＲＣＤ）であって、前記リモコンデバイス（ＲＣＤ）が、
前記携帯電話から受信した信号を処理し、
前記携帯電話から受信した信号を出力し、
前記携帯電話によりデジタルセルラーネットワーク（ＤＣＮ）から受信された着信電話呼を取り扱うように前記携帯電話を制御するための手段と、
前記携帯電話から受信した信号を前記１つ以上の周辺デバイスに送信できるよう、前記１つ以上の周辺デバイスを制御するための手段と、
を備えたリモコンデバイス（ＲＣＤ）。
【請求項１０】
前記携帯電話から受信した信号を処理するための処理手段と、
前記携帯電話から受信したオーディオ信号を出力するためのスピーカーと、
前記携帯電話に送るべきオーディオ信号を入力するためのマイクとを更に備えた、請求項９記載のリモコンデバイス（ＲＣＤ）。
【請求項１１】
前記リモコンデバイスが、前記携帯電話から受信したデータの出力を制御するためのユーザーインターフェースを更に含む、請求項１０記載のリモコンデバイス（ＲＣＤ）。
【請求項１２】
前記リモコンデバイスが、前記携帯電話から受信したビデオまたはテキストデータを表示するためのビデオディスプレイを更に含む、請求項１１記載のリモコンデバイス（ＲＣＤ）。
【発明の詳細な説明】
【技術分野】
【０００１】
（説明）
（背景技術）
携帯電話が家庭から離れて使用されるとき、この携帯電話は一般にユーザーの手の届く範囲内にある。しかしながら、家庭の中では携帯電話がユーザーから容易に離れてしまうことが多い。ユーザーが他の行為をしているときまたは娯楽を楽しんでいるとき、例えばテレビを見たり、ステレオを聴いているときに、携帯電話がどこにあるかを忘れてしまうことが時々ある。家庭では、携帯電話は充電のための固定クレイドルに置かれることが多い。携帯電話とユーザーとの間の距離が長いと仮定すると、ユーザーが家にいるときに携帯電話の着信呼はユーザーにとって不便であることがある。特にベルが鳴っている携帯電話に対し、ユーザーは、携帯電話の位置を探し、呼人を識別し、次に呼に応答しなければならない。このようなプロセスのために、着信呼の前にユーザーが楽しんでいたテレビプログラムまたは音楽の一部を見逃したり、聴き逃したりすることがある。更に、着信した呼に応答した後に、ユーザーは携帯電話を介した会話を行いながら、同時にテレビを見たり、または音楽を聴いたりしなければならない。
【０００２】
家庭用娯楽システムを管理するのに使用される今日の高度消費者用電子リモコン（遠隔制御）デバイスを用いる場合、携帯電話と通信可能な無線インターフェースを含むリモコンデバイス（ＲＣＤ）を開発することが望ましい。無線インターフェースを有するＲＣＤは、家庭でベルを鳴らしている携帯電話に遭遇したときにユーザーが直面する不便さを大幅に低減できる。
【０００３】
（発明の開示）
テレビまたは家庭用娯楽システムのリモコンデバイス（ＲＣＤ）は、携帯電話と通信可能となっており、携帯電話がデジタルセルラーネットワーク（ＤＣＮ）からの第１無線プロトコルの信号を受信すると、処理のために、例えばＲＣＤを使って音声の呼に応答するか、またはメッセージデータをディスプレイするために、第２無線プロトコルで信号がＲＣＤに無線で転送される。更にＲＣＤは、１つ以上の周辺デバイス、例えばテレビおよび／または家庭用娯楽システムのその他のコンポーネントと無線で通信できる。ＲＣＤは、携帯電話から受信した信号または信号の成分を出力用の周辺デバイスのうちの１つに更に転送できる。従って、信号を受信したときに携帯電話が手元にない場合、携帯電話をユーザーにより適当と考えられる態様で取り扱うべきＲＣＤにパスすることができる。
【０００４】
ＲＣＤは携帯電話とシームレスにインターフェースできる。携帯電話とインターフェースするために、ＲＣＤは１つ以上の周辺デバイスを制御するための第１無線インターフェースと、携帯電話と通信するための第２無線インターフェースとを含む。ＲＣＤは携帯電話のタスクの多くを行うことができるので、ＲＣＤは更に、携帯電話から受信したオーディオ信号を出力するためのスピーカーと、携帯電話に送信すべきオーディオ信号を受信するためのマイクと、ＲＣＤと携帯電話との間で伝送すべき無線信号を処理するためのプロセッサとを含む。運用中、ＲＣＤは、携帯電話がデジタルセルラーネットワーク（ＤＣＮ）からの無線信号を受信したことに応答し、携帯電話からの信号を受信する。
【０００５】
携帯電話は、ＤＣＮから受信した信号を処理のためにＲＣＤへ送る。この処理は携帯電話がＲＣＤへ送った信号のタイプ、音声またはデータに応じて決まる。ＲＣＤは着信呼（ｃａｌｌ）に接続し、全二重の会話を行うことにより、音声通話のための内線電話として働くことができる。ＲＣＤは、携帯電話から受信した信号のオーディオ部分をテレビなどのＲＣＤの制御により周辺デバイスへ転送することもできる。
【０００６】
ＲＣＤは、携帯電話から受信したデータ信号を処理することもできる。データ信号としてテキストデータ信号、オーディオデータ信号、ビデオデータ信号またはこれら任意の組み合わせを挙げることができる。この信号は、ＳＭＳ、ＭＭＳおよびｅメールメッセージを含むことになる。ＲＣＤは元々は携帯電話用のデータのうちのよりロバストなビデオおよびオーディオ出力のために、ＲＣＤの制御により、受信したデータ信号を１つ以上の中継デバイスに中継することもできる。
【実施例】
【０００７】
説明のための「携帯電話」なる用語は、無線ネットワークで運用される移動電話を意味するものとする。無線ネットワークの規格および／またはプロトコルは本発明の作動にとって重要なものではない。本発明は携帯電話が使用する無線ネットワークプロトコルに関係なく作動できるようになっている。
【０００８】
図１は、本発明が存在するネットワークの機能要素の間の環境および相互対話を示す。携帯電話１０２はデジタルセルラーネットワーク（ＤＣＮ）１０４を通して多数のタイプのデジタル信号を送受信できる。一般にＤＣＮ１０４は符号分割マルチアクセス（ＣＤＭＡ）、時間分割マルチアクセス（ＴＤＭＡ）、携帯電話のためのグローバルシステム（ＧＳＭ）または他の電話プロトコルに基づくことができる無線電話ネットワークである。携帯電話１０２がＤＣＮ１０４から受信した着信デジタル信号内に埋め込まれたヘッダーは、受信したデジタル信号のタイプを示す。最も一般的なタイプのデジタル信号は、全二重会話で搬送するための音声信号である。しかしながら、携帯電話がテキスト、オーディオおよび画像、すなわちビデオデータの送受信に関してより頑強になるにつれて、ＤＣＮにとってデータ信号がより一般的となりつつある。
【０００９】
受信されたデジタル音声信号は一般に携帯電話１０２によりアナログオーディオ信号へ復号化されるが、一方、デジタルデータ信号は携帯電話１０２内の適当なハードウェアおよびソフトウェアにより内部処理される。デジタルマルチメディア信号は、携帯電話１０２により別個のデジタル音声成分、およびデジタルデータを含むものとして取り扱われる。音声、データまたはマルチメディアコンテントを含むデジタル信号は、公知の無線規格、例えばショートメッセージングサービス（ＳＭＳ）、マルチメディアメッセージングサービス（ＭＭＳ）、または音声用の適応化マルチレート（ＡＭＲ）に従って処理される。携帯電話１０２は、装備されている場合には一体化されたマイクおよびカメラを使ってＤＣＮ１０４を通してマルチメディアメッセージを作成し、送信することもできる。マルチメディアメッセージはユーザーの直接操作を介し、またはＲＣＤ１００から遠隔的に、携帯電話１０２によって作成できる。
【００１０】
携帯電話１０２はＤＣＮ１０４からＲＣＤ１００へ、かつこの逆にＲＣＤ１００からＤＣＮ１０４へ、受信したデジタル信号を再送信、すなわち中継することもできる。ＲＣＤ１００との間の通信は、デジタル音声信号、データ信号またはマルチメディア信号を搬送するのに十分なバンド幅を有する、免許された、または免許されていない周波数バンドを使って、無線プロトコルと通して行われる。例えばこの通信は２.４ＧＨｚ、５.８ＧＨｚ、９００ＭＨｚまたは８００ＭＨｚスペクトルを使用するブルートゥース（商標）８０２.１１（ａ、ｂ、ｇ、ｈまたはｘ）プロトコルに基づくことができる。
【００１１】
ＲＣＤ１００との相互対話を容易にするために、携帯電話１０２はＤＣＮ１００との相互対話に使用するための基本ＲＦユニットからの別個の小パワーＲＦユニットを使用する。携帯電話１０２にＲＣＤ１００と相互対話する能力が装備されていない場合、ＲＣＤ１００と相互対話するのにベースユニット１０８を使用できる。携帯電話１０２は携帯電話１０２が受信したデジタル信号をシリアル伝送ポートを通してベースユニット１０８へ伝送できるように、ベースユニット１０８内に置けるようになっている。同様に、ベースユニット１０８には携帯電話１０２からのデジタル信号を受信するためのシリアル通信ポートが装備されており、ベースユニット１０８にはＲＣＤ１００と相互作用できるように、ＲＦユニットも装備されている。更にベースユニット１０８は携帯電話１０２とＲＣＤ１００との間の媒介手段として作動できる。特にベースユニット１０８は携帯電話１０２とＲＣＤ１００との間でデジタル信号を送受信できる。
【００１２】
ベースユニット１０８は独立した電源にアクセスし、電源へのアクセスによりベースユニット１０８は、小電力の第２ＲＦユニットにより携帯電話１０２が信号を送受信できる距離よりも長い距離にわたって信号を送受信することが可能となる。実際に、より長い距離にわたる通信に適合するように、ＲＣＤ１００と相互対話するように携帯電話１０２が装備されている場合でも、ベースユニット１０８を使用できる。電源により電子ユニット１０８は携帯電話１０８内のバッテリーを再充電する基本的義務も果たすことができる。
【００１３】
前に述べたように、ＲＣＤ１００には携帯電話１０２および／またはベースユニット１０８と相互対話するためのＲＦユニットが装備されている。特にＲＣＤ１００は携帯電話１０２との間でデジタル信号を送受信し、周辺電子デバイス１１０にデジタル信号を送信することができる。一般にこれらデバイスは家庭用娯楽システム、例えばテレビ、関連するスピーカーを含むステレオまたはパソコン（ＰＣ）の一部となる。ＲＣＤ１００はマルチメディアコーデック機能を有するデジタル信号プロセッサ（ＤＳＰ）／マイクロプロセッサも含む。ＲＣＤ１００にはユーザーが携帯電話１０２を通してフルデュプレクスで会話を行うことができるようにするためのマイクとスピーカーが更に設けられている。マイクおよびスピーカーを内蔵させることにより、ＲＣＤ１００を内線電話のように使用し、携帯電話１０２によって開始された会話を行うことができる。
【００１４】
ＲＣＤ１００は、更に携帯電話１０２の特徴にアクセスし、制御できる能力を有する。例えばリモコン１００は音声ダイヤルを可能にするか、またはＳＭＳまたはＭＭＳメッセージを作成するために、携帯電話１０２にアクセスできる。ＲＣＤ１００はＲＣＤ１００の制御下にある他の周辺デバイス１１０にデジタル信号を中継し、再ルーティングし、または再送信できる能力を有する。これら他の電子デバイスも、例えば赤外線またはＲＦユニットを使ってＲＣＤ１００によって制御できる。ＲＣＤ１００は携帯電話１０２またはベースユニット１０８からのデジタル信号を直接他の周辺デバイス１１０にルーティングまたは再送信することができる。例えばＤＣＮ１０４から携帯電話１０２が受信した画像発信者ＩＤ信号を携帯電話１０２またはベースユニット１０８のいずれかにより、ＲＣＤ１００へ自動転送し、次に表示のためにテレビへ転送することができる。ＲＣＤ１００は、つながれていない運用を容易にするよう、内部の再充電可能な電源も含む。
【００１５】
周辺デバイス１１０が例えばテレビである場合、このテレビはＲＣＤ１００からの再送信された、すなわち中継されたデジタル信号を受信できる。ユーザーの都合のために、着信呼によってユーザーがテレビで見ているプログラムを見逃さないことを保証する一連のイベントをトリガーできる。多くのテレビには、現在、内部または制御可能な付属品を通して、デジタルビデオレコーダーが装備されており、このビデオレコーダーはライブのテレビを一時停止したり、ビデオデータをハードディスクドライブに保存したりできる能力を有する。従って、携帯電話１０２で呼を受信し、携帯電話１０２がユーザーの手の届く範囲外にある場合、ＲＣＤ１００へ呼情報および呼そのものを転送できる。ユーザーがＲＣＤ１００を使って呼に応答すると判断した場合、ＲＣＤ１００は通話が完了するかまたはユーザーが一時停止機能を無効にするまで、テレビを一時停止させることができる。
【００１６】
テレビはオーディオを放送できる一体化されたスピーカーを含み、更に多くのテレビはデジタルビデオおよびアナログビデオの双方をディスプレイできるだけでなく、ＭＭＳ、ＳＭＳ、ＣａｌｌｅｒＩＤ、Ｐｉｃｔｕｒｅ  ＣａｌｌｅｒＩＤおよびＪｏｉｎｔ  Ｐｈｏｔｏｇｒａｐｈｉｃ  Ｅｘｐｅｒｔｓ  Ｇｒｏｕｐ（ＪＰＥＧ）を含む、一般に知られている実行可能な無線フォーマットでマルチメディアをディスプレイおよび／または放送することもできる。同様に、楽器デジタルインターフェース（ＭＩＤＩ）またはＭＰＥＧオーディオレイヤー３（ＭＰ３）を含むがこれらに限定されない種々のフォーマットでオーディオを放送できる。テレビの「ピクチャーインピクチャー」ウィンドー内に音声、データ、オーディオまたはＭＭＳメッセージの実行を表示できる。従って、もともと携帯電話１０２用であって携帯電話によって受信されたデータを、ＲＣＤ１００を介してテレビにルーティングまたは再送信し、より大きいスクリーンのディスプレイでデータの映りおよび音を強化することができる。
【００１７】
テレビはハイパワースピーカー、デジタルビデオレコーダー（ＤＶＲ）、デジタルビデオディスク（ＤＶＤ）プレイヤー、ビデオカセットレコーダー（ＶＣＲ）およびゲームシステムを含むが、これらに限定されない家庭用娯楽システム内のその他の周辺デバイスともコンパーチブルである。テレビは所定のマルチメディアコーデック機能も含むことができる。このコーデック機能は携帯電話１０２またはベースユニット１０８を介し、ＲＣＤ１００から受信したスピーカー出力およびオーディオ入力と、全二重会話を同時に実行しながら、フレームのラグ、エコーまたは遅れを生じることなく、マルチメディアメッセージを表示するよう、オーディオとビデオを同期化する能力をテレビに提供するものである。
【００１８】
ハイパワースピーカーはテレビまたはチューナー、アンプもしくは家庭用娯楽システム内で一般的なその他の同様なオーディオデバイスからの有線接続からのオーディオを受信できる。これとは異なり、スピーカーにＲＣＤ１００とコンパーチブルとなるようにＲＦユニットを取り付けてもよい。スピーカーが無線接続可能な場合、これらスピーカーは携帯電話１０２、ベースユニット１０８、ＲＣＤ１００またはテレビからのオーディオを出力できる。携帯電話１０２またはベースユニット１０８で発生されたオーディオ信号をＲＣＤ１００で行われた判断を通して、スピーカーへ直接ルーティングできる。
【００１９】
同様に、ＤＶＲを直接テレビに配線してもよいし、またはこれとは異なりＲＣＤ１００とコンパーチブルなＲＦユニットを備えてもよい。ＤＶＲはＤＣＮ１０４からの着信信号を携帯電話１０２が受信したときにテレビにより表示された信号を自動的に記録できる。この機能によりＤＣＮ１０４へのまたはＤＣＮからの着信伝送がテレビの通常のビデオおよびオーディオ機能を無効にすることが可能になる。次にＤＣＮ１０４との通信相互対話のためにテレビのオーディオおよびビデオ機能を使用できる一方、ＤＶＲはこの機能により取ってかわられたオーディオまたはビデオを失わず、代わりに後で表示するために捕捉することを保証する。
【００２０】
周辺デバイス１１０は、パーソナルビデオレコーダ、ＤＶＤプレイヤー、ＶＴＲおよびゲームシステムを含むが、これらだけに限定されるものではない。周辺デバイス１１０にはＲＣＤ１００とコンパーチブルなＲＦユニットを取り付けできる。携帯電話１０２がＤＣＮ１０４からの着信信号を受信したことを、このコンパーチビリティにより周辺デバイス１１０が認識することができる。着信信号が周辺デバイス１１０、例えばテレビにより認識されると、テレビはテレビを使って着信通信信号と相互対話するのにテレビを使用できるように自動的に作動を一時停止できる。一時停止動作は当該周辺デバイスに応じ、記録動作の一時停止、ゲームの一時停止、または映画ディスプレイの一時停止を含むことができるが、これだけに限定されない。
【００２１】
図２は、本発明の一実施例により着信信号をどのように処理するかを示す論理図である。着信信号は代表的な電話の通話のような音声信号、または例えばＳＭＳ、ＭＭＳまたはｅメールメッセージのようなデータ信号を意味する。データ信号はテキスト、オーディオおよび／またはビデオ成分を含むことができる。図２は２つの生じ得るシナリオを示す。第１のシナリオは、ＲＣＤを宛て先デバイスとして使用するものであるが、このことは、着信信号が移動／ベースユニットからＲＣＤへ送られ、処理されることを意味する。例えば着信電話呼を携帯電話またはベースユニットからＲＣＤへ送り、ＲＣＤにおいてユーザーが呼に応答し、ＲＣＤを使って会話することができる。第２シナリオは、ＲＣＤを携帯電話／ベースユニットと、オーディオおよび／またはビデオ（Ａ／Ｖ）出力が可能な１つ以上の周辺デバイスとの間のパイプとして使用するものである。すなわち携帯電話から周辺デバイスへ信号を送信するために、まずＲＣＤへ信号を送らなければならない。次にＲＣＤは信号を適当な周辺デバイスへ中継、すなわち再送信する。
【００２２】
呼取り扱いプロセス、すなわち着信信号取り扱いプロセスは携帯電話が外部ＤＣＮ２００からデジタル信号を受信することから始まる。このステップは、公知の無線プロトコルを使用し、ＤＣＮを通して無線デジタル信号を受信することを伴う。携帯電話は標準的な携帯電話技術を使用し、ＤＣＮと通信可能な第１ＲＦユニットを使ってデジタル信号を検出する。
【００２３】
デジタル信号を受信した後に、携帯電話はＤＣＮと通信したときに携帯電話が使用した無線プロトコルと異なる別の短距離無線プロトコルを通してＲＣＤへ受信した信号を無線で中継、すなわち再送信することを試みる。ベースユニット内に携帯電話がドッキングされている場合、携帯電話は受信したデジタル信号をベースユニットへ転送する。次にベースユニットは短距離無線プロトコルを使用し、ＲＣＤへ受信した信号を無線で中継、すなわち再送信する。使用される異なる無線プロトコルは少なくとも２つあるので、携帯電話は発信ソースと宛て先デバイスとの間の通信可能性を保証するために、信号の必要な符号化および復号化を実行する。
【００２４】
例えば携帯電話は、ＧＳＭ（音声）およびＧＰＲＳ（データ）プロトコルを使ってＤＣＮからの音声およびデータ信号を受信する一方、携帯電話とＲＣＤとの間で使用される無線プロトコルは免許されていない２.４ＧＨｚの８０２.１１ｘプロトコルに基づく。かかるケースでは、携帯電話はＤＣＮからの（制御データを含む）着信音声またはデータ信号を復号化し、これをＲＣＤに中継する前に８０２.１１ｘのためにこの信号を符号化する。ＲＣＤが発信ソースとなり、ＤＣＮが宛て先となるときは、このプロセスは逆になる。
【００２５】
携帯電話がベースユニットにドッキングされている場合、ベースユニットは携帯電話からのデジタル信号を受信し（２０４）、次に短距離無線プロトコルを使ってデジタル信号をＲＣＤに転送する（２０６）。この手順では、デジタル信号をＲＣＤに無線で送信する前に、携帯電話からシリアルポートを通してベースユニットがデジタル信号を受信し、ＲＣＤでデジタル信号が受信される（２０８）。
【００２６】
ベースユニットに携帯電話がドッキングされておらず（２０２）、携帯電話がＲＣＤと通信可能でない場合（２１０）、携帯電話は通常、ＤＣＮからの着信信号を処理する（２１２）。携帯電話がＲＣＤと通信可能である（２１０）が、ＲＣＤの圏外にある場合（２１４）、携帯電話は再びＲＣＤとの相互対話をすることなく、通常どおり着信信号を処理する。しかしながら、携帯電話がＲＣＤの圏内にある場合（２１４）、携帯電話はＲＣＤへ受信したデジタル信号を中継、すなわち再送信し（２１６）、ＲＣＤで信号が受信される（２０８）。
【００２７】
ＲＣＤは、ベースユニットまたは携帯電話からのデジタル信号を受信する（２０８）ために、携帯電話および／またはベースユニットと通信可能なＲＦユニット使用する。ＲＣＤは受信したデジタル信号のタイプを判断するために、デジタル信号に添付されているヘッダー（制御データ）を検査し、信号のタイプ（音声またはデータ）を判断した後に、ＲＣＤはデジタル信号を処理する。
【００２８】
ＲＣＤが携帯電話またはベースユニットのいずれかからの着信信号を受信し、予め処理した場合、ＲＣＤは、ＲＣＤと現在通信可能な周辺デバイスがあるどうかを判断する（２１８）。存在しない場合、ＲＣＤは携帯電話の内線として作動し、着信呼を処理し（２２０）、ＲＣＤ上のＡ／Ｖ出力を維持する。従って、ユーザーは着信信号が音声呼である場合ＲＣＤを使用してプロセスを逆にできる。そうでなく、ＲＣＤに小型ディスプレイスクリーンが装備されている場合、ＲＣＤは、着信データメッセージをディスプレイできる。ＲＣＤと通信できる現在通信可能な周辺デバイスがある場合、ＲＣＤは適当な周辺デバイスでディスプレイし、および／または聴くための着信信号を再送信できる（２２０）。
【００２９】
例えばユーザーが呼に応答すると判断する前にテレビにＣａｌｌｅｒＩＤデータを表示できる。そうでない場合、呼に応答する際に、テレビまたはステレオシステムに結合されたスピーカーにより再生されるべきオーディオ信号をＲＣＤがルーティングできる。着信信号がテキスト、オーディオおよび／またはビデオから成るデータ信号である場合、ＲＣＤはメッセージを再生するように、テレビの制御を支配できる。テレビにたまたまデジタルビデオレコーディング（ＤＶＲ）デバイスが装備されている場合、ＲＣＤ／携帯電話通信が完了したときに、ユーザーが何も見逃すことなく、視聴を再開できるよう、テレビへのソース信号を自動的に一時中断させることができる。
【００３０】
図３はＲＣＤがどのように受信信号を処理するかをより詳細に示している。ＲＣＤは受信信号が音声信号またはデータ（テキスト、オーディオおよび／またはビデオ）信号のいずれであるかを判断すること（３００）によりスタートする。判断（３０２）の後に、音声信号処理（３０４）をするために音声信号に対してフラグを立て、データ信号処理（３０６）をするためにデータ信号に対してフラグを立てる。音声信号処理のためにＲＣＤのユーザーが受信したオーディオ信号を周辺デバイス送る選択をした場合（３０８）、ＲＣＤは選択された周辺デバイスへオーディオ信号を送信し（３１０）、信号を出力する。ユーザーが受信したオーディオ信号を周辺デバイスに送らないことを選択した場合（３０８）、ＲＣＤは受信したオーディオ信号を出力するのに自分のスピーカーを使用する（３１２）。通話中の任意の時間にユーザーは受信したオーディオ信号を周辺デバイスへ送ることを選択できる。
【００３１】
同様に、データ信号処理（３０６）を行うためにデータ信号（テキスト、オーディオおよび／またはビデオ）が伝送される。ＲＣＤのユーザーが受信したデータ信号を周辺デバイスに送る選択をした場合（３０８）、ＲＣＤは周辺デバイスにデータ信号を送信する（３１０）。ＲＣＤのユーザーが受信したデータ信号を周辺デバイスに送らないことを選択した場合（３０８）、ＲＣＤは自ら受信したデータ信号を出力する（３１２）。いつでもユーザーは受信したデータ信号を周辺デバイスへ送ることを選択できる。
【００３２】
次に、図４を参照する。周辺デバイスがＲＦまたはＩＲ（赤外線）に基づくことができる無線リンクを介し、ＲＣＤからの信号を受信する（４００）。信号のタイプの判断（４０２）の後で、音声信号処理（４０４）のためにＲＣＤから周辺デバイスへ送られた音声信号が転送され、データ信号処理（４０６）のためにデータ信号が転送される。音声信号処理（４０４）のために周辺デバイスは一体化されたスピーカーを使ってオーディオ信号を出力し、他方、ＲＣＤは一体化されたマイクを使ってユーザーから携帯電話に音声信号を戻すように音声信号を送信する（４０８）。データ信号処理（４０６）のために周辺デバイスはデータに適したフォーマットでデータを出力する（４１０）。
【００３３】
例えば周辺デバイス、例えばテレビにより、音声およびオーディオを含むＭＭＳメッセージを表示し、聴くことができるように出力できる。テレビはＪＰＥＧまたはＭＰＥＧを含むが、これらに限定されない共通ビデオフォーマットおよびｗａｖ、ｍｉｄｉまたはｍｐ３を含むが、これらに限定されないオーディオフォーマットを表示できる。テレビによりＳＭＳテキストメッセージをディスプレイすることもできる。
【００３４】
以上で本発明の特定の実施例について開示した。当業者であれば、本発明は別の環境において別の用途を有することが認識できよう。実際に多くの実施例および実現例が可能である。特許請求の範囲は、これまで説明した特定の実施例だけに限定されるものではない。更に、「〜のための手段」なる記載は構成要素および特許請求の範囲の「手段プラス機能」の表示を喚起するものであるが、「〜のための手段」なる記載を特に使用していない構成要素は、たとえ特許請求の範囲が「手段」なる用語を含む場合でも手段プラス機能要素として解釈すべきではない。
【図面の簡単な説明】
【００３５】
【図１】本発明の所定の構成要素およびそれらの環境を示すブロック図である。
【図２】ＤＣＭを通して携帯電話が呼を受信したときの、呼取り扱いプロセスのフローチャートである。
【図３】呼取り扱いプロセス中にＲＣＤ内で生じる事象のフローチャートである。
【図４】呼取り扱いプロセス内に周辺デバイス内で生じる事象のフローチャートである。
【図１】
2007504732.tif 000003
【図２】
2007504732.tif 000004
【図３】
2007504732.tif 000005
【図４】
2007504732.tif 000006
【手続補正書】
【提出日】平成17年4月6日(2005.4.6)
【手続補正１】
【補正対象書類名】特許請求の範囲
【補正対象項目名】全文
【補正方法】変更
【補正の内容】
【特許請求の範囲】
【請求項１】
１つ以上の周辺デバイスを制御するための第１無線インターフェースと、
携帯電話と通信するための第２無線インターフェースと、
前記携帯電話から受信したオーディオ信号を出力するためのスピーカーと、
前記携帯電話へ送信すべきオーディオ信号を受信するためのマイクと、
リモコンデバイス（ＲＣＤ）と前記携帯電話との間で伝送される無線信号を処理するためのプロセッサと、
を備えたリモコンデバイス（ＲＣＤ）であって、
前記リモコンデバイス（ＲＣＤ）が、デジタルセルラーネットワーク（ＤＣＮ）からの無線信号を前記携帯電話が受信したことに応答し、前記携帯電話からの信号を受信し、
前記リモコンデバイス（ＲＣＤ）の制御によりその時点でアクティブな周辺デバイスにその出力を一時停止させそのソース信号の記録を開始させるリモコンデバイス（ＲＣＤ）。
【請求項２】
前記携帯電話から前記リモコンデバイス（ＲＣＤ）が受信した信号が、電話の呼を設定するために使用されるオーディオ信号である、請求項１記載のリモコンデバイス（ＲＣＤ）。
【請求項３】
前記携帯電話から受信した信号を処理する事が、前記リモコンデバイス（ＲＣＤ）を使って前記携帯電話が受信した電話呼に接続する事を含む、請求項２記載のリモコンデバイス（ＲＣＤ）。
【請求項４】
前記リモコンデバイス（ＲＣＤ）が、前記携帯電話から受信したオーディオ信号を１つ以上の周辺デバイスのうちの１つに送信し、可聴的に出力させる、請求項３記載のリモコンデバイス（ＲＣＤ）。
【請求項５】
前記リモコンデバイス（ＲＣＤ）によって前記携帯電話から受信された信号が、テキストデータ信号、オーディオデータ信号、ビデオデータ信号およびそれらの任意の組み合わせから成る群から選択されたデータ信号である、請求項１記載のリモコンデバイス（ＲＣＤ）。
【請求項６】
前記携帯電話から受信した信号を処理する作用が、前記携帯電話から受信したデータ信号を前記１つ以上の周辺デバイスのうちの１つに送信し、出力させる事を含む、請求項５記載のリモコンデバイス（ＲＣＤ）。
【請求項７】
前記リモコンデバイス（ＲＣＤ）によって前記携帯電話から受信された信号が、ＳＭＳメッセージ、ＭＭＳメッセージおよびｅメールメッセージから成る群から選択されたデータ信号である、請求項１記載のリモコンデバイス（ＲＣＤ）。
【請求項８】
前記携帯電話から受信した信号を処理する事が、前記携帯電話から受信したデータ信号を前記テレビ周辺デバイスのうちの１つに送信し、テレビディスプレイ内のピクチュアインピクチュアウィンドウに出力させることを含む、請求項７記載のリモコンデバイス（ＲＣＤ）。
【請求項９】
携帯電話および１つ以上の周辺デバイスと通信可能なリモコンデバイス（ＲＣＤ）であって、前記リモコンデバイス（ＲＣＤ）が、
前記携帯電話から受信した信号を処理し、
前記携帯電話から受信した信号を出力し、
前記携帯電話によりデジタルセルラーネットワーク（ＤＣＮ）から受信された着信電話呼を取り扱うように前記携帯電話を制御するための手段と、
前記携帯電話から受信した信号を前記１つ以上の周辺デバイスに送信できるよう、前記１つ以上の周辺デバイスを制御するための手段と、
を備えたリモコンデバイス（ＲＣＤ）。
【請求項１０】
前記携帯電話から受信した信号を処理するための処理手段と、
前記携帯電話から受信したオーディオ信号を出力するためのスピーカーと、
前記携帯電話に送るべきオーディオ信号を入力するためのマイクとを更に備えた、請求項９記載のリモコンデバイス（ＲＣＤ）。
【請求項１１】
前記リモコンデバイスが、前記携帯電話から受信したデータの出力を制御するためのユーザーインターフェースを更に含む、請求項１０記載のリモコンデバイス（ＲＣＤ）。
【請求項１２】
前記リモコンデバイスが、前記携帯電話から受信したビデオまたはテキストデータを表示するためのビデオディスプレイを更に含む、請求項１１記載のリモコンデバイス（ＲＣＤ）。
【国際調査報告】
2007504732.tif 000007
2007504732.tif 000008
2007504732.tif 000009